(57)【要約】【課題】  操作者による操作を受け付けることが可能な任意の画面の拡大表示を行う。【解決手段】  表示デバイス操作検出部２２および座標データ取得部３２は、表示デバイス１２に対する操作者の操作位置の座標を取得して座標データ記憶部３３に格納する。拡大表示制御部２６は、「拡大表示」キー１３が押下されると、座標データ記憶部３３から読み出した座標データに基づいて、第１,第２分割表示エリアＡ,Ｂのうち読み出した座標が存在する方の分割表示エリアを拡大表示エリアとして選択し、第１,第２拡大表示制御部２９,３０のうち上記選択された分割表示エリアに該当する拡大表示制御部によって拡大表示を行う。こうすることによって、操作者が所望する操作中の画面を自動的に拡大表示することができ、操作者の利便性を高めることができる。【選択図】図３
2005316678.tif 000002
【特許請求の範囲】
【請求項１】
表示領域を分割してなる複数の分割表示領域を有する表示手段と、
上記表示手段の各分割表示領域に画像を表示する表示制御手段と、
上記表示領域に関する操作者によって最後に操作された位置を取得して記憶する操作位置取得記憶手段と、
操作者による拡大表示の指示を受け付けると共に、上記指示に従って、上記操作位置取得記憶手段によって記憶されている操作位置に基づいて拡大表示を行う拡大表示領域を設定し、この設定された拡大表示領域の画像を拡大表示する拡大表示制御手段
を備えたことを特徴とする表示装置。
【請求項２】
請求項１に記載の表示装置において、
上記表示手段は操作者による操作を受け付けることが可能であり、
上記操作位置取得記憶手段は、
上記表示手段の表示領域に対する操作者による操作の有無を検出する表示領域操作検出手段と、
上記表示領域操作検出手段によって上記表示領域に対する操作者による操作が検出された場合に、上記表示領域上における操作位置を表す座標データを取得する座標データ取得手段と、
上記取得された座標データを更新登録する座標データ記憶手段
を備えている
ことを特徴とする表示装置。
【請求項３】
請求項１に記載の表示装置において、
拡大表示が行われる拡大表示領域を、上記記憶されている操作位置に基づくことなく設定する拡大表示領域設定手段
を備えたことを特徴とする表示装置。
【請求項４】
請求項３に記載の表示装置において、
上記拡大表示制御手段は、上記操作位置取得記憶手段によって上記操作位置が記憶されていない場合には、上記拡大表示領域設定手段によって設定されている拡大表示領域を、上記拡大表示を行う拡大表示領域として選択するようになっている
ことを特徴とする表示装置。
【請求項５】
請求項１に記載の表示装置において、
上記拡大表示制御手段は、上記設定された拡大表示領域の画像を上記表示手段の表示領域全体に拡大表示するようになっている
ことを特徴とする表示装置。
【請求項６】
請求項１に記載の表示装置において、
上記拡大表示制御手段は、上記設定された拡大表示領域の画像を、上記表示手段における上記設定された拡大表示領域が属する分割表示領域を除く何れかの分割表示領域に拡大表示するようになっている
ことを特徴とする表示装置。
【請求項７】
請求項１に記載の表示装置において、
上記拡大表示制御手段によって行われる拡大表示領域の設定は、上記分割表示領域の単位で行われる
ことを特徴とする表示装置。
【請求項８】
請求項１に記載の表示装置において、
上記表示領域の分割位置を設定する表示領域分割手段
を備えたことを特徴とする表示装置。
【請求項９】
請求項８に記載の表示装置において、
上記表示領域分割手段は、操作者からの指示を受け付けて、上記指示に応じて上記分割位置を変更可能になっている
ことを特徴とする表示装置。
【請求項１０】
請求項１に記載の表示装置を搭載していることを特徴とする画像処理装置。
【請求項１１】
表示領域を分割してなる複数の分割表示領域に画像を表示し、
上記表示領域に関する操作者によって最後に操作された位置を取得して記憶し、
操作者による拡大表示の指示に従って、上記記憶されている操作位置に基づいて拡大表示を行う拡大表示領域を設定し、この設定された拡大表示領域の画像を拡大表示する
ことを特徴とする表示方法。
【請求項１２】
コンピュータを、
表示領域を分割してなる複数の分割表示領域に画像を表示する表示制御手段と、
上記表示領域に関する操作者によって最後に操作された位置を取得して記憶する操作位置取得記憶手段と、
操作者による拡大表示の指示を受け付けると共に、上記指示に従って、上記操作位置取得記憶手段によって記憶されている操作位置に基づいて拡大表示を行う拡大表示領域を設定し、この設定された拡大表示領域の画像を拡大表示する拡大表示制御手段
として機能させることを特徴とする表示プログラム。
【請求項１３】
請求項１２に記載の表示プログラムが記録されたことを特徴とするコンピュータ読出し可能なプログラム記録媒体。
【発明の詳細な説明】
【技術分野】
【０００１】
この発明は、一つの表示画面に複数の表示領域を設定できる表示装置、表示方法、表示プログラム、プログラム記録媒体、および、画像処理装置に関する。
【背景技術】
【０００２】
従来、表示デバイスに表示された画面を拡大表示するものとして、例えば、特開２００１‐１０９５５７号公報(特許文献１)のようなものがある。
【０００３】
この特許文献１においては、タッチパネルの画面上に表示されている所望の選択肢またはその近傍を指でタッチした場合に、そのタッチされた選択肢を含む近傍の選択肢の表示を拡大重畳表示する。そして、拡大画面上の何れかの選択肢をポイント(タッチ)することによって、ポイントされた選択肢に対応する処理が行われ、拡大画面上の選択肢以外の部分をポイント(タッチ)することによって、拡大前の大きさに戻すようになっている。こうして、隣接する選択肢を誤ってポイントすることなく正確且つ精度のよいタッチを可能にしている。
【０００４】
しかしながら、上記従来のタッチパネルにおいては、選択肢を表示している状態で画面にタッチすると自動的に拡大重畳表示が行われるので、選択肢を表示している状態で拡大重畳表示の指示以外の目的で画面をタッチできないという問題がある。また、選択肢の表示画面以外の所望の画面を拡大表示することができないという問題もある。
【特許文献１】特開２００１‐１０９５５７号公報
【発明の開示】
【発明が解決しようとする課題】
【０００５】
そこで、この発明の課題は、操作者による操作を受け付けることが可能な任意の画面の拡大表示を行うことができる表示装置,表示方法,表示プログラムおよびプログラム記録媒体、並びに、上記表示装置を搭載した画像処理装置を提供することにある。
【課題を解決するための手段】
【０００６】
上記課題を解決するため、この発明の表示装置は、表示領域を分割してなる複数の分割表示領域を有する表示手段と、上記表示手段の各分割表示領域に画像を表示する表示制御手段と、上記表示領域に関する操作者によって最後に操作された位置を取得して記憶する操作位置取得記憶手段と、操作者による拡大表示の指示を受け付けると共に、上記指示に従って、上記操作位置取得記憶手段によって記憶されている操作位置に基づいて拡大表示を行う拡大表示領域を設定し、この設定された拡大表示領域の画像を拡大表示する拡大表示制御手段を備えたことを特徴としている。
【０００７】
上記構成によれば、最後に操作された分割表示領域に設定された拡大表示領域の画像が拡大表示される。したがって、選択肢を表示している画面に限らず、操作者が操作中の所望の画面の拡大表示領域を拡大表示することができ、操作者の利便性が向上する。
【０００８】
また、１実施例の表示装置では、上記表示手段は操作者による操作を受け付けることが可能であり、上記操作位置取得記憶手段は、上記表示手段の表示領域に対する操作者による操作の有無を検出する表示領域操作検出手段と、上記表示領域操作検出手段によって上記表示領域に対する操作者による操作が検出された場合に、上記表示領域上における操作位置を表す座標データを取得する座標データ取得手段と、上記取得された座標データを更新登録する座標データ記憶手段を備えている。
【０００９】
この実施例によれば、操作者が上記表示手段の表示領域に対して指等で操作を行った際に、最後の操作位置が自動的に取得されて記憶される。したがって、操作者の利便性がさらに向上する。
【００１０】
また、１実施例の表示装置では、拡大表示が行われる拡大表示領域を、上記記憶されている操作位置に基づくことなく設定する拡大表示領域設定手段を備えている。
【００１１】
この実施例によれば、操作者は、拡大表示すべき表示領域が予め分かっている場合は、上記拡大表示領域設定手段によって上記拡大表示すべき表示領域を拡大表示領域として設定しておくことができる。したがって、常に、上記拡大表示すべき表示領域を拡大表示することが可能になる。
【００１２】
また、１実施例の表示装置では、上記拡大表示制御手段は、上記操作位置取得記憶手段によって上記操作位置が記憶されていない場合には、上記拡大表示領域設定手段によって設定されている拡大表示領域を、上記拡大表示を行う拡大表示領域として選択するようになっている。
【００１３】
この実施例によれば、上記表示領域に関する操作がなされない場合に、デフォルト拡大表示を行うことができる。
【００１４】
また、１実施例の表示装置では、上記拡大表示制御手段は、上記設定された拡大表示領域の画像を上記表示手段の表示領域全体に拡大表示するようになっている。
【００１５】
この実施例によれば、所望する画面の拡大表示領域が表示領域全体に拡大表示されるため、例えば上記画面上の操作キーを大きく拡大することができ、上記操作キーに対する操作性を向上することができる。
【００１６】
また、１実施例の表示装置では、上記拡大表示制御手段は、上記設定された拡大表示領域の画像を、上記表示手段における上記設定された拡大表示領域が属する分割表示領域を除く何れかの分割表示領域に拡大表示するようになっている。
【００１７】
この実施例によれば、拡大表示すべき画面の拡大表示領域とその拡大表示画面とを同時に表示することができる。したがって、操作者は、上記拡大表示画面に対する操作や認識を元の画面と対比して行うことできる。
【００１８】
また、１実施例の表示装置では、上記拡大表示制御手段によって行われる拡大表示領域の設定は、上記分割表示領域の単位で行われる。
【００１９】
この実施例によれば、上記拡大表示領域の設定が上記分割表示領域の単位で行われるため、操作者の利便性をさらに向上できる。
【００２０】
また、１実施例の表示装置では、上記表示領域の分割位置を設定する表示領域分割手段を備えている。
【００２１】
この実施例によれば、表示する画面の内容に応じて、上記表示領域の分割位置を任意に設定することが可能になる。
【００２２】
また、１実施例の表示装置では、上記表示領域分割手段は、操作者からの指示を受け付けて、上記指示に応じて上記分割位置を変更可能になっている。
【００２３】
この実施例によれば、操作者からの指示に応じて、上記表示領域の分割位置を任意に設定することが可能になる。
【００２４】
また、この発明の画像処理装置は、この発明の表示装置を搭載していることを特徴としている。
【００２５】
上記構成によれば、最後に操作された分割表示領域に設定された拡大表示領域の画像が拡大表示される。したがって、操作者は、操作中の画面に表示された操作キーが小さくて操作し難い場合や、操作中の画面に見難い箇所がある場合には、例えばキー押下によって拡大表示を指示するだけでその操作中の画面の拡大表示領域を拡大表示することができ、操作キーの操作が容易になり、画面の視認性を向上できる。
【００２６】
また、この発明の表示方法は、表示領域を分割してなる複数の分割表示領域に画像を表示し、上記表示領域に関する操作者によって最後に操作された位置を取得して記憶し、操作者による拡大表示の指示に従って、上記記憶されている操作位置に基づいて拡大表示を行う拡大表示領域を設定し、この設定された拡大表示領域の画像を拡大表示することを特徴としている。
【００２７】
また、この発明の表示プログラムは、コンピュータを、表示領域を分割してなる複数の分割表示領域に画像を表示する表示制御手段と、上記表示領域に関する操作者によって最後に操作された位置を取得して記憶する操作位置取得記憶手段と、操作者による拡大表示の指示を受け付けると共に、上記指示に従って、上記操作位置取得記憶手段によって記憶されている操作位置に基づいて拡大表示を行う拡大表示領域を設定し、この設定された拡大表示領域の画像を拡大表示する拡大表示制御手段として機能させることを特徴としている。
【００２８】
また、この発明のプログラム記録媒体は、上記表示プログラムが記録されていることを特徴としている。
【００２９】
上記各構成によれば、最後に操作された分割表示領域に設定された拡大表示領域の画像が拡大表示される。したがって、選択肢を表示している画面に限らず、操作者が操作中の所望の画面の拡大表示領域を拡大表示することができ、操作者の利便性が向上する。
【発明の効果】
【００３０】
以上より明らかなように、この発明によれば、最後に操作された分割表示領域に設定された拡大表示領域の画像を拡大表示できるため、選択肢を表示している画面に限らず、操作者が操作中の所望の画面の拡大表示領域を拡大表示することができ、操作者の利便性を向上させることができる。
【発明を実施するための最良の形態】
【００３１】
以下、この発明を図示の実施の形態により詳細に説明する。図１は、本実施の形態の表示装置が搭載された画像処理装置の概略構成を示す。この画像処理装置は、大きくは、原稿の画像を読み取って画像データを生成する読取部１と、この読取部１によって得られた画像データに基づいて用紙に印字を行う印字部２と、この印字部２に用紙を供給する給紙部３を備えている。また、詳述はしないが、通信ネットワークと接続する通信Ｉ/Ｆを備えている。
【００３２】
上記読取部１では、原稿を露光・スキャンしてＣＣＤセンサ(図示せず)等によって画像信号を得、さらに、二値化処理,画質補正,変倍,画像編集等の画像処理を行い、得られた画像データを画像記憶部(図示せず)に記憶する。印字部２は、上記画像記憶部からの画像データに基づいて、イエロー(Ｙ)用の感光体ドラム４の表面に静電潜像を形成し、その静電潜像上にイエローのトナーを付着させてイエローのトナー像を形成する。同様に、マゼンタ(Ｍ)用の感光体ドラム５の表面にマゼンタのトナー像を形成し、シアン(Ｃ)用の感光体ドラム６の表面にシアンのトナー像を形成し、ブラック(Ｋ)用の感光体ドラム７の表面にブラックのトナー像を形成する。
【００３３】
そして、夫々の感光体ドラム４〜７の表面のトナー像は、給紙部３から供給されて用紙搬送路８を搬送される用紙の表面に順次転写される。そして、画像が転写された用紙は、夫々の感光体ドラム４〜７の表面から分離され、転写後の各感光体ドラム４〜７の表面はクリーニング装置(図示せず)によって清掃される。
【００３４】
ところで、上記構成を有する画像処理装置においては、図２に示すような操作者が入力を行うための操作パネル１１が、例えば、図１における上部手前側に略水平に設置されている。そして、この操作パネル１１には、画像形成,画像読取および画像送受信に関するジョブ情報を表示するための液晶表示ディスプレイ等で構成される表示デバイス１２が設けられている。この表示デバイス１２は、操作者による操作を受け付けることが可能になっている。具体的には、表示デバイス１２は液晶タッチパネルを備えている。また、操作パネル１１の左下には「拡大表示」キー１３が配置されている。この「拡大表示」キー１３を押下することによって、後に詳述するように、座標データに基づいて拡大する表示エリアを選択し、表示デバイス１２に拡大表示する拡大表示処理が行われる。
【００３５】
図３は、本実施の形態の表示装置における機能的構成を示すブロック図である。本表示装置は、表示制御部２１,表示デバイス１２,表示デバイス操作検出部２２および座標データ取得・記憶部２３で概略構成されている。
【００３６】
上記表示制御部２１は、上記表示デバイス１２の表示エリアに対する表示動作を制御するものであり、表示エリア分割制御部２５,拡大表示制御部２６,第１表示制御部２７および第２表示制御部２８を有している。表示エリア分割制御部２５は、後に詳述するようにして、表示デバイス１２の表示エリアに対する分割位置を対話的に設定し、その設定位置を記憶する。ここで、上記「対話的に」とは、「操作者によって入力される指示を受けて分割位置を設定する」ことを意味する。第１表示制御部２７は、表示エリア分割制御部２５によって上記表示エリアが分割されてなる第１分割表示エリアに対する表示動作を制御する。また、第２表示制御部２８は、上記表示エリアが分割されてなる第２分割表示エリアに対する表示動作を、第１表示制御部２７とは独立して制御する。尚、本実施の形態においては、表示デバイス１２の表示エリアは、第１,第２の２つの分割表示エリアに分割され、第１,第２の２つの表示制御部２７,２８によって互いに独立して表示動作を制御するようにしているが、表示エリアを３以上の分割表示エリアに分割して３以上の表示制御部によって独立して表示動作を制御するようにしても一向に構わない。
【００３７】
上記拡大表示制御部２６は、上記「拡大表示」キ−１３からの押下信号を監視し、「拡大表示」キ−１３から押下信号があると、座標データ取得・記憶部２３の座標データ記憶部３３から座標データを取得して拡大表示する分割表示エリアを選択し、第１拡大表示制御部２９および第２拡大表示制御部３０のうち上記選択された分割表示エリアに該当する拡大表示制御部によって拡大表示を行う。拡大方法設定部３１は、デフォルトの拡大表示エリアの設定を行う。
【００３８】
上記表示デバイス操作検出部２２は、表示デバイス１２からの信号を監視しており、表示デバイス１２からの信号に基づいて操作者による表示デバイス１２に対する操作(例えば、指によるタッチ等)を検知し、検知信号を座標データ取得・記憶部２３に出力する。そうすると、座標データ取得・記憶部２３の座標データ取得部３２は、表示デバイス操作検出部２２を介して、表示デバイス１２の上記表示エリア上における操作位置を表す座標を取得すると共に、取得座標を表す座標信号を表示制御部２１に出力する。さらに、この取得した座標の座標データを座標データ記憶部３３に格納しておく。
【００３９】
ここで、上記機能的構成を有する表示装置の具体的ハードウェア構成は、後述する拡大表示制御処理を実行するプログラムを含む各種プログラムを記憶するプログラムメモリ、各種情報を記憶するデータメモリ、通信ネットワークと接続する通信Ｉ/Ｆ、入力装置、出力装置、表示デバイス１２、外部記録媒体がセットされてこの外部記録媒体をアクセスする外部補助記憶装置、上記プログラムメモリ,データメモリ,通信Ｉ/Ｆ,入力装置,出力装置,表示デバイス１２および外部補助記憶装置等を制御して、オートクリア等を実行するＣＰＵ(中央演算処理装置)等で成る。
【００４０】
すなわち、上記表示制御部２１,表示デバイス操作検出部２２および座標データ取得部３２は上記ＣＰＵで構成されるのである。また、上記ＣＰＵは、上述した各部２１,２２,３２による本実施の形態に係る処理動作の他に、演算・判断処理,計時処理および入出力処理等の各種の処理動作をも行うようになっている。尚、上記拡大表示制御処理プログラムは、上記外部記録媒体や通信ネットワークから上記プログラムメモリにインストールしても差し支えない。
【００４１】
上記構成において、上記拡大表示制御部２６は、座標データ記憶部３３の格納情報に基づいて、以下のように拡大表示制御を行う。図４は、拡大表示制御部２６によって実行される拡大表示制御処理動作のフローチャートである。以下、図４に従って、拡大表示制御処理動作について説明する。
【００４２】
この場合、既に、上記表示制御部２１の表示エリア分割制御部２５によって、表示デバイス１２の表示エリアに対する分割位置が対話的に設定され、その設定位置が記憶・保持されているものとする。図５は、上記表示エリアに対する分割位置を対話的に設定する場合に、表示デバイス１２に表示される表示エリア設定画面の一例を示す。この場合、ボタン４１,４２,４３の何れかを操作することによって、第１分割表示エリアＡと第２分割表示エリアＢとの分割位置が操作ボタンに応じて設定される。このように、本実施の形態においては、上記表示エリアの分割位置を選択可能にしている。
【００４３】
尚、図５においては、上記分割位置が３種類しか指定できないようになっているが、分割する境界の位置を上記入力装置としてのキーボード(図示せず)から数値入力する(例えば、上記表示パネルの右端を基準にして１５cmの位置で分割する等)ことによって、任意のサイズでの上記表示エリアを分割可能にしても差し支えない。また、図５においては、分割方向が上記表示パネルの横方向(長手方向)となっているが、縦方向であっても良いことは言うまでもない。
【００４４】
さらに、上記表示デバイス操作検出部２２及び座標データ取得・記憶部２３によって、操作者による表示デバイス１２に対する最新の操作座標が取得されて座標データ記憶部３３に格納されているものとする。
【００４５】
図４において、上記「拡大表示」キー１３が押下されると、拡大表示制御処理動作がスタートする。ステップＳ1で、座標データ記憶部３３に座標データが格納されているか否かを判別することによって、今までパネル操作があったか否かが判別される。その結果、パネル操作があった場合にはステップＳ2に進み、なかった場合にはステップＳ5に進む。ステップＳ2で、拡大方法設定部３１によってデフォルトの拡大表示エリアが設定されているか否かを判別することによって、拡大表示エリアが固定されているか否かが判別される。その結果、固定されている場合にはステップＳ5に進む一方、固定されていない場合にはステップＳ3に進む。
【００４６】
ステップＳ3で、上記座標データ記憶部３３から最新の操作位置の座標データが取得され、第１分割表示エリアＡおよび第２分割表示エリアＢのうち取得した座標データが存在する方の分割表示エリアが拡大表示する分割表示エリアとして選択される。ステップＳ4で、第１,第２拡大表示制御部２９,３０のうち上記選択された分割表示エリアに該当する拡大表示制御部によって、上記選択された分割表示エリアに対して拡大表示処理が行われる。そうした後に、拡大表示制御処理動作が終了される。
【００４７】
ステップＳ5で、上記ステップＳ1においてパネル操作がなかったと判別された場合、および、上記ステップＳ2において拡大表示エリアが固定されていると判別された場合に、拡大方法設定部３１によって設定されているデフォルトの拡大表示エリアが選択される。そうした後、上記ステップＳ4において上記選択された拡大表示エリアに該当する分割表示エリアに対する拡大表示処理が行われた後、拡大表示制御処理動作が終了される。
【００４８】
図６〜図８は、上記拡大表示の一例を示すための表示画面を示す。図６は、第１分割表示エリアＡ及び第２分割表示エリアＢが、共に基本画面の状態である場合を示している。この状態において、第２分割表示エリアＢに表示されている選択キーの一つ「原稿＞コピー」キー４５が操作されると、第２分割表示エリアＢの表示画面が図７に示すように変更される。その際に、上述したように、表示デバイス操作検出部２２および座標データ取得部３２によって、表示デバイス１２の上記表示エリア上における「原稿＞コピー」キー４５の座標が取得されて座標データ記憶部３３に格納されるのである。
【００４９】
図７に示す表示状態において、上記「拡大表示」キ−１３が押下されると、座標データ記憶部３３に格納されている「原稿＞コピー」キー４５の座標に基づいて、拡大表示する分割表示エリアとして「原稿＞コピー」キー４５が表示されている第２分割表示エリアＢが選択される。その結果、図８に示すように、第２分割表示エリアＢに表示されている画像が、表示デバイス１２の上記表示エリア全体に拡大表示される。こうして、最後に操作された分割表示エリアの画面が拡大表示されるのである。
【００５０】
ここで、予め、第２分割表示エリアＢに表示されている「ユーザ設定を行う画面」がデフォルトの拡大表示エリアとして設定されているとすると、図６に示す状態において上記表示エリアに対する操作が行われないで「拡大表示」キー１３が押下された場合には、第２分割表示エリアＢに表示されている「ユーザ設定を行う画面」の基本画面が拡大表示されることになる。
【００５１】
以上のごとく、本実施の形態においては、操作者による操作を受け付けることが可能な表示デバイス１２の上記表示エリアを第１分割表示エリアＡと第２分割表示エリアＢとに分割して表示している際に、「拡大表示」キー１３が押下されて拡大表示が指示された場合には、操作者が最後に操作した分割表示エリアの画面を拡大表示するようにしている。したがって、選択肢を表示している画面に限定されること無く、操作者が操作中の所望する画面を自動的に拡大表示することができ、操作者の利便性を高めることができるのである。
【００５２】
尚、本実施の形態においては、上記表示デバイス１２に表示されている例えば「原稿＞コピー」キー４５が指等で操作されると、「原稿＞コピー」キー４５の座標が取得されて座標データ記憶部３３に格納されるようにしている。しかしながら、この発明はこれに限定されるものでは無く、マウス等によって「原稿＞コピー」キー４５を操作する場合でも「原稿＞コピー」キー４５の座標を取得・格納することは可能である。
【００５３】
また、本実施の形態においては、上記拡大表示を行う場合に、選択表示エリアである第２分割表示エリアＢの画像を、図８に示すように、表示デバイス１２の上記表示エリア全体に拡大表示している。しかしながら、この発明はこれに限定されるものではなく、選択表示エリアではない第１分割表示エリアＡに拡大表示しても差し支えない。また、拡大表示するエリアは分割表示エリア単位に限定されえるものではなく、上記取得された座標データを含む近傍に設定されたエリアであっても構わない。
【００５４】
また、図７に示すように、上記選択表示エリアである第２分割表示エリアＢに表示されている画面中に、操作者による操作を受け付ける選択キー４６,４７が存在する場合に、図８に示すように、上記表示エリア全体に拡大表示された画面上の対応する選択キー４８,４９を操作することによって、第２分割表示エリアＢに表示されていた選択キー４６,４７を操作したのと同一の処理が実行できるように、第２分割表示エリアＢの情報と拡大表示エリアの情報とに関連性を持たせることもできる。さらに、拡大表示方法として、本実施の形態においては、固定倍率での拡大表示や、選択表示エリアでの表示方法(例えば、文字列「ページ揃えの設定ができます」の反転表示等)を継承する拡大表示を採用しているが、操作者が任意に設定・変更することを許可するようにしても一向に構わない。
【図面の簡単な説明】
【００５５】
【図１】この発明の表示装置が搭載された画像処理装置の概略構成を示す図である。
【図２】操作パネルの外観図である。
【図３】この発明の表示装置におけるブロック図である。
【図４】拡大表示制御処理動作のフローチャートである。
【図５】表示エリア設定画面の一例を示す図である。
【図６】第１,第２分割表示エリアが共に基本画面である場合を示す図である。
【図７】図６において第２分割表示エリアＢに操作が行われた場合における表示内容を示す図である。
【図８】図７において「拡大表示」キ−が押下された場合における表示内容を示す図である。
【符号の説明】
【００５６】
１…読取部、
２…印字部、
３…給紙部、
４,５,６,７…感光体ドラム、
８…用紙搬送路、
１１…操作パネル、
１２…表示デバイス、
１３…「拡大表示」キー、
２１…表示制御部、
２２…表示デバイス操作検出部、
２３…座標データ取得・記憶部、
２５…表示エリア分割制御部、
２６…拡大表示制御部、
２７…第１表示制御部、
２８…第２表示制御部、
２９…第１拡大表示制御部、
３０…第２拡大表示制御部、
３１…拡大方法設定部、
３２…座標データ取得部、
３３…座標データ記憶部。
【図１】
2005316678.tif 000003
【図２】
2005316678.tif 000004
【図３】
2005316678.tif 000005
【図４】
2005316678.tif 000006
【図５】
2005316678.tif 000007
【図６】
2005316678.tif 000008
【図７】
2005316678.tif 000009
【図８】
2005316678.tif 000010